(57)【要約】【課題】手持ち式の電動ドライバにバラビスを一本ずつ供給するのに適した携帯用バラビス整列供給具を提案すること。【解決手段】バラビス整列供給具１０においては、予め、ビス整列溝１２に沿ってバラビス１１を吊り下げた状態に保持しておく。ビス整列溝１２の前側溝端１２ａに位置する先頭のバラビス１１（１）は、磁石によってビス受け入れ用半割り筒１４に送り出されて、ここに保持されている。コイルスプリング１７のドリル装着用の上側開口端１７ｂに、手持ち式の電動ドライバ５０のドリルビット５１を挿入してそのドリル本体の先端部５２を上側開口端１７ｂに差し込むことにより、電動ドライバ５０にバラビス整列供給具１０が取り付けられる。この状態で、ビス打ち込み場所において、電動ドライバ５０を駆動してコイルスプリング１７を圧縮しながらバラビス１１（１）を打ち込む。【選択図】図４
2011098411.tif 000002
【特許請求の範囲】
【請求項１】
複数本のバラビスを整列状態にして一本ずつ手持ち式の電動ドライバに供給するために用いる携帯用バラビス整列供給具であって、
バラビスがその頭部が吊り下げられた状態で一列に保持可能な一定幅のビス整列溝を備えたビス整列用レールと、
前記ビス整列溝におけるその長さ方向の一方の溝端から送り出されるバラビスを１本ずつ受け入れるために前記ビス整列用レールに取り付けたビス受け入れ部材と、
前記ビス受け入れ部材を挟み前記溝端とは反対側に位置するように前記ビス整列用レールに取り付けた磁石と、
前記ビス整列用レールに取り付けられているコイルスプリングと、
前記ビス整列用レールに取り付けられているレール支持脚とを有し、
前記コイルスプリングの一方の開口端は、前記受け入れ筒に受け入れられたバラビスの頭部に対峙可能な位置にあり、当該コイルスプリングの他方の開口端は、バラビスを打ち込むための電動ドライバの先端部を装着するためのドリル装着部であり、
前記レール支持脚は前記ビス受け入れ部材に受け入れたビスの打ち込み方向に延びている所定長さのものであることを特徴とする携帯用バラビス整列供給具。
【請求項２】
前記ビス整列用レールは、Ｃ型断面をした所定長さの直線レールであり、その下面に前記ビス整列溝が形成されており、その上面に前記コイルスプリングが垂直に取り付けられており、
前記レール支持脚は、前記コイルスプリングとは反対側に延びていると共に、前記ビス整列溝が形成されている前記下面よりも所定の長さ突出していることを特徴とする請求項１に記載の携帯用バラビス整列供給具。
【請求項３】
前記ビス受け入れ部材は円筒をその中心軸線に沿って半割りにした形状の半割り円筒であり、
前記溝端に対峙した位置において前記コイルスプリングと同軸状態に配置されていることを特徴とする請求項１または２に記載の携帯用バラビス整列供給具。
【請求項４】
請求項１ないし３のうちのいずれかの項に記載の携帯用バラビス整列供給具と、
複数本のバラビスを前記携帯用バラビス整列供給具に補給するためのバラビス補給容器とを有しており、
前記バラビス補給容器は、容器本体と、当該容器本体の開口部を封鎖している開閉可能な容器蓋とを備えており、
前記容器本体あるいは容器蓋には、直線状に延びる一定幅のビス整列用貫通溝と、このビス整列用貫通溝の一方の溝端を、前記携帯用ビス整列供給具の前記ビス整列溝の他方の溝端に接続させるためのビス整列用レールの差し込み穴とが形成されており、
前記ビス整列用貫通溝は、バラビスの脚部が通過可能であるが、その頭部は通過できない幅寸法のものであり、
前記バラビス補給容器に複数本のバラビスを入れて前記容器蓋を閉じ、前記ビス整列用貫通溝が下側になる状態で当該バラビス補給容器を振ることにより、収納されているバラビスが前記ビス整列用貫通溝に脚部から落ち込み、当該ビス整列用貫通溝に頭部が吊り下げられた状態で当該ビス整列用貫通溝に沿って一列に整列された状態になることを特徴とする携帯用バラビス整列供給具セット。
【発明の詳細な説明】
【技術分野】
【０００１】
本発明は、手持ち式の電動ドライバにバラビスを整列させて一本ずつ供給可能な携帯用バラビス整列供給具および携帯用バラビス整列供給具セットに関する。
【背景技術】
【０００２】
電動ドライバによってビスを打ち込むためには電動ドライバのドリルビットにビスを一本ずつ供給する必要がある。従来においてはテープに一定間隔でビスが粘着固定されているテープビスを用いることにより、ビスを一本ずつ電動ドライバに供給する操作が自動的に行われるようになっている。
【０００３】
しかしながら、テープビスはコストが掛かるので、一般的なバラビスを整列させて一本ずつ電動ドライバに供給する装置が各種提案されている。このような装置は特許文献１〜６に開示されており、基本的には、一定幅の溝にバラビスを落とし込むことにより溝にバラビスを吊り下げ、溝に沿ってバラビスを電動ドライバの側に送り出す整列機構が採用されている。
【先行技術文献】
【特許文献】
【０００４】
【特許文献１】実開平５−３２２０号公報
【特許文献２】実開平７−１５２３６号公報
【特許文献３】特開平８−１４５４号公報
【特許文献４】特開平１１−１０４５１号公報
【特許文献５】特開２００５−３３５０５１号公報
【特許文献６】特開２００２１３７１２５号公報
【発明の概要】
【発明が解決しようとする課題】
【０００５】
従来におけるバラビスの整列供給装置は大型であり、据え置き式、あるいは、台車に搭載して移動させる台車搭載式となっている。このため、手持ち式の電動ドライバにより異なる作業現場に作業員が移動しながらバラビスを打ち込むために用いるには不向きである。
【０００６】
本発明の課題は、この点に着目して、手持ち式の電動ドライバにバラビスを一本ずつ供給するのに適した携帯用バラビス整列供給具および携帯用バラビス整列供給具セットを提案することにある。
【課題を解決するための手段】
【０００７】
上記の課題を解決するために、本発明は、複数本のバラビスを整列させて一本ずつ手持ち式の電動ドライバに供給するために用いる携帯用バラビス整列供給具であって、
バラビスがその頭部が吊り下げられた状態で一列に保持される一定幅のビス整列溝を備えたビス整列用レールと、
前記ビス整列溝におけるその長さ方向の一方の溝端から送り出されるバラビスを１本ずつ受け入れるために前記ビス整列用レールに取り付けたビス受け入れ部材と、
前記ビス受け入れ部材を挟み前記溝端とは反対側に位置するように前記ビス整列用レールに取り付けた磁石と、
前記ビス整列用レールに取り付けられているコイルスプリングと、
前記ビス整列用レールに取り付けられているレール支持脚とを有し、
前記コイルスプリングの一方の開口端は、前記受け入れ筒に受け入れられたバラビスの頭部に対峙可能な位置にあり、当該コイルスプリングの他方の開口端は、バラビスを打ち込むための電動ドライバの先端部を装着するためのドリル装着部であり、
前記レール支持脚は前記ビス受け入れ部材に受け入れたビスの打ち込み方向に延びている所定長さのものであることを特徴としている。
【０００８】
ここで、前記ビス整列用レールとしては、Ｃ型断面をした所定長さの直線レールを用いることができ、この場合には、その下面に前記ビス整列溝が位置し、その上面に前記コイルスプリングを垂直に取り付ければよい。また、前記レール支持脚は、前記コイルスプリングとは反対側に延びていると共に、前記ビス整列溝が形成されている前記下面よりも所定の長さ突出させておけばよい。
【０００９】
また、前記ビス受け入れ部材としては、円筒をその軸線方向に半割りにして得られる半割り筒を用いることができる。この筒を、前記溝端に対峙した位置において前記コイルスプリングと同軸状態に配置しておけばよい。
【００１０】
本発明のバラビス整列供給具においては、予め、ビス整列溝に沿ってバラビスを吊り下げた状態に保持しておく。ビス整列溝の溝端に位置する先頭のバラビスは、磁石によってビス受け入れ部材に送り出されて、ここに受け入れられた状態に保持されている。手持ち式の電動ドライバによってバラビスを打ち込む際には、コイルスプリングに、手持ち式の電動ドライバのドリルビットを挿入してその根元側の電動ドライバの先端部を装着する。これにより、電動ドライバにバラビス整列供給具が取り付けられた状態になる。
【００１１】
打ち込み場所において、バラビス整列供給具のレール支持脚をビス打ち込み面に乗せ、ビス受け入れ部材に受け入れられているバラビスを打ち込み位置に位置決めし、電動ドライバを駆動して、当該電動ドライバを押し込むと、コイルスプリングが圧縮して、ドリルビットがビス受け入れ部材に保持されているバラビスの頭部上面に十字溝に嵌り、バラビスが回転しながら押しだされてその打ち込みが行われる。
【００１２】
一本のバラビスの打ち込み作業が終了した後に、電動ドライバに加えている力を解除するとコイルスプリングの復帰力によって電動ドライバが押し上げられる。ビス受け入れ部材から電動ドライバのドリルビットが退避すると、ビス整列溝の溝端に位置している先頭のバラビスが磁石によってビス受け入れ部材の側に吸引されて、ここに保持される。したがって、電動ドライバの押し込み動作、コイルスプリングによる電動ドライバの押し上げ動作が繰り返されながら、ビス打ち込み場所に順次にバラビスを打ち込むことができる。
【００１３】
ここで、ビス整列溝に保持されているバラビスが無くなった場合には、バラビスをビス整列溝に供給する必要がある。この作業を簡単に行うためには、複数本のバラビスを一列に並べるためのバラビス補給容器を用意しておくことが望ましい。
【００１４】
このバラビス補給容器は、容器本体と、当該容器本体の開口部を封鎖している開閉可能な容器蓋とを備えており、前記容器本体あるいは容器蓋には、直線状に延びる一定幅のビス整列用貫通溝と、このビス整列用貫通溝の一方の溝端を、前記携帯用ビス整列供給具の前記ビス整列溝の他方の溝端に接続させるためのビス整列用レールの差し込み穴とが形成されており、前記ビス整列用貫通溝は、バラビスの脚部が通過可能であるが、その頭部は通過できない幅寸法のものであり、前記バラビス補給容器に複数本のバラビスを入れて前記容器蓋を閉じ、前記ビス整列用貫通溝が下側に位置する状態で当該バラビス補給容器を振ることにより、収納されているバラビスが前記ビス整列用貫通溝に脚部から落ち込み、当該ビス整列用貫通溝に頭部が吊り下げられた状態で当該ビス整列用貫通溝に沿って一列に整列された状態になることを特徴としている。
【００１５】
バラビスを入れたバラビス補給容器を、そのビス整列用貫通溝が下側に位置するように手で持って振ることにより、ビス整列用貫通溝にバラビスが一列に吊り下げられた状態になる。ビス整列用貫通溝をビス整列供給具のビス整列溝の端に接続して、ビス整列溝の側が下となるように傾けると、バラビスが自重によってビス整列用貫通溝からビス整列溝に送り込まれる。したがって、簡単に、ビス整列溝にバラビスを補給することができる。
【発明の効果】
【００１６】
本発明の携帯用バラビス整列供給具を手持ち式の電動ドライバの先に取り付けることにより、作業員はビスの打ち込み場所を移動しながらバラビスの打ち込み作業を行うことができる。したがって、壁面などのように、従来の据え置き型あるいは台車搭載型のビス整列供給装置とは異なり、手持ち式の電動ドライバによって任意の場所において多数本のバラビスの打ち込み作業を効率良く行うことが可能になる。
【図面の簡単な説明】
【００１７】
【図１】本発明を適用した携帯用バラビス整列供給具セットを示す説明図である。
【図２】図１のバラビス整列供給具の部分断面図である。
【図３】図１のバラビス補給容器の断面図である。
【図４】図１の携帯用バラビス整列供給具セットの使用例を示す説明図である。
【発明を実施するための形態】
【００１８】
以下に、図面を参照して、本発明を適用した携帯用バラビス整列供給具セットの実施の形態を説明する。
【００１９】
図１は携帯用バラビス整列供給具セットを示す説明図である。携帯用バラビス整列供給具セット１は、携帯用バラビス整列供給具１０と、この携帯用バラビス整列供給具１０にバラビスを補給するためのバラビス補給容器３０との組み合わせからなる。携帯用バラビス整列供給具１０は、複数本のバラビスを一本ずつ整列状態で手持ち式の電動ドライバ５０に供給するために用いるためのものである。
【００２０】
図２（ａ）は携帯用バラビス整列供給具１０を示す部分面図であり、図２（ｂ）は図２（ａ）のｂ−ｂ線で切断した部分を示す部分断面図であり、図２（ｃ）は図２（ａ）のｃ−ｃ線で切断した部分を示す部分断面図である。図１および図２を参照して説明すると、携帯用バラビス整列供給具１０は、バラビス１１（１）、１１（２）、１１（３）・・・（以下の説明ではバラビス１１として説明する場合もある。）がその頭部１１ａが吊り下げられた状態で一列に保持される一定幅のビス整列溝１２を備えたビス整列用レール１３を備えている。本例では、ビス整列用レール１３はＣ型断面の一定の長さの直線状の金属製レール、たとえばアルミニウム製のレールであり、その下面１３Ａの幅方向の中央に一定幅のビス整列溝１２が形成されている。
【００２１】
ビス整列溝１２は、ビス整列用レール１３の後端１３ａに位置する後側溝端１２ａからビス整列用レール１３の先端１３ｂに至る手前に位置する前側溝端１２ｂまで延びている。ビス整列用レール１３における前側溝端１２ｂの手前側には、一定長さの円筒を半割りにした形状のビス受け入れ用半割り筒１４が、前側溝端１２ｂに半円形の内周面が向いた状態で、ビス整列用レール１３に垂直に取り付けられている。ビス受け入れ用半割り筒１４は、ビス整列用レール１３の上面１３ｃからビス整列溝１２を超えて延びている。ビス受け入れ用半割り筒１４の内径は、バラビス１１の頭部１１ａの外径よりも僅かに大きく、１本のバラビス１１のみを前側溝端１２ｂから受け入れ可能である。
【００２２】
ビス受け入れ用半割り筒１４の前側、すなわち、ビス受け入れ用半割り筒１４を挟み前側溝端１２ｂとは反対側の位置には、磁石１５がビス整列用レール１３に取り付けられている。この磁石１５による磁気吸引力によって、前側溝端１２ｂに位置する先頭のバラビス１１（１）がビス整列溝１２から抜け出てビス受け入れ用半割り筒１４の側に吸引され、当該ビス受け入れ用半割り筒１４に、ほぼ同軸状態に保持された状態が形成されている。
【００２３】
次に、ビス整列用レール１３の上面１３ｃには、ビス受け入れ用半割り筒１４と同軸状態となる位置に、円盤状フランジ１６が固定されている。この円盤状フランジ１６の上面には、円錐台形状に巻かれているコイルスプリング１７の大径の下側開口端１７ａが同軸状態に固定されている。コイルスプリング１７の小径の上側開口端１７ｂは、図１において想像線で示すように、手持ち式の電動ドライバ５０の先端部５１を差し込み可能な内径寸法に設定された電動ドライバ装着部として機能する。
【００２４】
円盤状フランジ１６の中心にはビス受け入れ用半割り筒１４と同一内径の円筒１８が同軸状態に固定されている。円筒１８は円盤状フランジ１６およびビス整列用レール１３の上面１３ｃを貫通して下側のビス受け入れ用半割り筒１４に繋がっている。
【００２５】
一方、ビス整列用レール１３の左右の側面には、それぞれ左右の透明なプラスチック製の側面板２１、２２が固定されている。側面板２１、２２は細長い長方形をしており、ビス整列用レール１３の上面から下面を超えて下方に突出する幅寸法のものである。これらの側面板２１、２２における円盤状フランジ１６よりも後側の部位には、それぞれ、レール支持脚２３、２４が一体形成されている。これらのレール支持脚２３、２４は側面板２１、２２の下側の縁から下方の所定長さ突出している。
【００２６】
次に、図３はバラビス補給容器３０を示す断面図であり、（ａ）は図１のＡ−Ａ線で切断した部分の断面を示し、（ｂ）は図１のＢ−Ｂ線で切断した部分の断面を示す。図１および図３を参照して説明すると、バラビス補給容器３０は、全体として扁平な直方体形状をした透明なプラスチック容器であり、一定深さの矩形の容器本体３１と、この容器本体３１の開口部を封鎖している容器蓋３２とを備えている。容器蓋３２は、その長辺側の一方の縁部分が容器本体３１に繋がっており、この連結部分３３を中心として開閉可能となっている。
【００２７】
容器本体３１および容器蓋３２のうち、本例では容器本体３１の底面３１ａには、連結部分３３の側の縁端に沿って直線状に延びる一定幅のビス整列用貫通溝３４が形成されている。また、ビス整列用貫通溝３４の一方の溝端３４ａが対峙している容器本体３１の側面部分には差し込み穴３５が形成されており、当該差し込み穴３５から溝端３４ａが露出している。この差し込み穴３５にはビス整列用レール１３の後端部を差し込み可能であり、当該ビス整列用レール１３の後端部を差し込むと、そのビス整列溝１２の後側溝端１２ａにビス整列用貫通溝３４の溝端３４ａが繋がった状態になる。
【００２８】
ビス整列用貫通溝３４は、バラビス１１の脚部１１ｂが通過可能であるが、その頭部１１ａは通過できない幅寸法のものであり、本例ではビス整列溝１２と同一幅寸法とされている。
【００２９】
バラビス補給容器３０に複数本のバラビス１１を入れ、その容器蓋３１を閉じ、ビス整列用貫通溝３４が下向きとなるように手に持って、当該バラビス補給容器３０を振ると、内部に入れたバラビス１１がビス整列用貫通溝３４に脚部１１ｂから落ち込む。この結果、図１、図３に示すように、ビス整列用貫通溝３４に頭部１１ａが吊り下げられた状態で当該ビス整列用貫通溝３４に沿って複数本のバラビス１１が一列に整列された状態になる。
【００３０】
（バラビスの補給、ビス打ち作業）
図４（ａ）〜（ｄ）はバラビス補給容器３０によるバラビス１１の補給操作、および、携帯用ビス整列供給具１０を用いて手持ち式の電動ドライバ５０によるビス打ち作業を示す説明図である。
【００３１】
まず、図４（ａ）に示すように、バラビス補給容器３０をバラビス整列供給具１０に接続して、整列状態でつり下げられている複数本のバラビス１１をバラビス整列供給具１０のビス整列用レール１３に送り込む。このビス送り込み操作は、接続したバラビス補給容器３０が上側になるように傾斜させることにより簡単に行うことができる。図４（ｂ）にはバラビス１１が補給された状態のバラビス整列供給具１０を示している。
【００３２】
ここで、ビス整列溝１２の前側溝端１２ｂに位置する先頭のバラビス１１（１）は、磁石１５によってビス受け入れ用半割り筒１４に送り出されて、ここに保持されている。手持ち式の電動ドライバ５０によってバラビス１１（１）を打ち込む際には、コイルスプリング１７のドリル装着部である上側開口端１７ｂに、手持ち式の電動ドライバ５０のドリルビット５２を挿入してその根元側のドリル本体の先端部５２を上側開口端１７ｂに差し込む、これにより、電動ドライバ５０にバラビス整列供給具１０が取り付けられた状態になる。
【００３３】
次に、打ち込み場所において、図４（ｃ）に示すように、バラビス整列供給具１０のレール支持脚２３、２４をビス打ち込み面６０に乗せ、ビス受け入れ用半割り筒１４に保持されているバラビス１１（１）を打ち込み位置に位置決めし、電動ドライバ５０を駆動して、当該電動ドライバ５０を押し込むと、図４（ｄ）に示すように、コイルスプリング１７が圧縮して、ドリルビット５１がビス受け入れ用半割り筒１４に保持されているバラビス１１（１）の頭部上面の十字溝に嵌り、バラビス１１（１）が回転しながら押しだされてその打ち込みが行われる。
【００３４】
バラビス１１（１）の打ち込み作業が終了した後に、電動ドライバ５０に加えている力を解除するとコイルスプリング１７の弾性復帰力によって電動ドライバ５０が押し上げられて再び図４（ｃ）の状態に戻る。この結果、ビス受け入れ用半割り筒１４から電動ドライバ５０のドリルビット５１が上方に退避するので、ビス整列溝１２の前側溝端１２ｂに位置している次のバラビス１１（２）が磁石１５によってビス受け入れ用半割り筒１４の側に吸引されて、ここに保持される。したがって、電動ドライバ５０の押し込み動作、コイルスプリング１７による電動ドライバ５０の押し上げ動作が繰り返されながら、異なるビス打ち込み場所において電動ドライバ５０によって順次にバラビス１１を打ち込むことができる。
【００３５】
ここで、ビス整列溝１２に保持されているバラビス１１が無くなった場合には、図４（ａ）に示すように、バラビス１１をビス整列溝に補給すればよい。
【００３６】
以上説明したように、携帯用バラビス整列供給具１０を手持ち式の電動ドライバ５０の先に取り付けることにより、作業員はビスの打ち込み場所を移動しながらバラビス１１の打ち込み作業を行うことができる。したがって、壁面などのように、従来の据え置き型あるいは台車搭載型のビス整列供給装置とは異なり、手持ち式の電動ドライバによって任意の場所において多数本のバラビスの打ち込み作業を効率良く行うことが可能になる。
【００３７】
なお、バラビス補給容器３０の代わりに、従来から知られている据え置き型、あるいは台車搭載型のビス整列供給装置と同様な構造の装置を利用して、定まった位置においてバラビス整列供給具１０にバラビス１１を補給することも可能である。
【符号の説明】
【００３８】
１    携帯用バラビス整列供給具セット
１０  携帯用バラビス整列供給具
１１、１１（１）、１１（２）、１１（３）  バラビス
１２  ビス整列溝
１２ａ  後側溝端
１２ｂ  前側溝端
１３  ビス整列用レール
１３ａ  後端
１３ｂ  先端
１３ｃ  上面
１３Ａ  下面
１４  ビス受け入れ用半割り筒
１５  磁石
１６  円盤状フランジ
１７  コイルスプリング
１７ａ  下側開口端
１７ｂ  上側開口端
１８  円筒
２１、２２  側面板
２３、２４  レール支持脚
３０  バラビス補給容器
３１  容器本体
３２  容器蓋
３３  連結部分
３４  ビス整列用貫通溝
３４ａ  溝端
３５  差し込み穴
５０  電動ドライバ
５１  先端部
５２  ドリルビット
６０  ビス打ち込み面
【図１】
2011098411.tif 000003
【図２】
2011098411.tif 000004
【図３】
2011098411.tif 000005
【図４】
2011098411.tif 000006